(57)【特許請求の範囲】
【請求項１】
系統電源に接続されるとともに建物の家電負荷が接続される分電盤から供給される交流電力を、直流電力に変換して車載蓄電池へ供給したり、当該車載蓄電池から出力される直流電力を、交流電力に変換して前記分電盤へ供給したりする車載電池用パワーコンディショナーを備えた充放電システムを将来的に施工可能な充放電システムの予備施工方法であって、
将来設置が想定される前記車載電池用パワーコンディショナーの設置位置を想定し、
前記分電盤と前記車載電池用パワーコンディショナーの想定された前記設置位置との間に配設される電線の想定配設位置である前記建物の基礎内と前記建物の外側の地中内の部分に、電線管を予め埋設しておき、
前記電線管の前記建物側の端部開口は、前記建物の床下空間内に位置している
ことを特徴とする充放電システムの予備施工方法。
【請求項２】
前記電線管内には、前記電線を通す際に用いる呼び線を配設しておくことを特徴とする請求項１に記載の充放電システムの予備施工方法。
【請求項３】
前記分電盤の近傍には、充放電システム用開閉装置を設置可能なスペースを予め設けておくことを特徴とする請求項１又は２に記載の充放電システムの予備施工方法。
【請求項４】
系統電源に接続されるとともに建物の家電負荷が接続される分電盤から供給される交流電力を、直流電力に変換して車載蓄電池へ供給する車載電池用パワーコンディショナーを備えた充電システムを将来的に施工可能な充電システムの予備施工方法であって、
将来設置が想定される前記車載電池用パワーコンディショナーの設置位置を想定し、
前記分電盤と前記車載電池用パワーコンディショナーの想定された前記設置位置との間に配設される電線の想定配設位置である前記建物の基礎内と前記建物の外側の地中内の部分に、電線管を予め埋設しておき、
前記電線管の前記建物側の端部開口は、前記建物の床下空間内に位置している
ことを特徴とする充電システムの予備施工方法。
【請求項５】
前記電線管内には、前記電線を通す際に用いる呼び線を配設しておくことを特徴とする請求項４に記載の充電システムの予備施工方法。
【請求項６】
前記分電盤の近傍には、充電システム用開閉装置を設置可能なスペースを予め設けておくことを特徴とする請求項４又は５に記載の充電システムの予備施工方法。
【請求項７】
車載蓄電池又は車載燃料電池から出力される直流電力を、交流電力に変換して、系統電源に接続されるとともに建物の家電負荷が接続される分電盤へ供給する車載電池用パワーコンディショナーを備えた放電システムを将来的に施工可能な放電システムの予備施工方法であって、
将来設置が想定される前記車載電池用パワーコンディショナーの設置位置を想定し、
前記分電盤と前記車載電池用パワーコンディショナーの想定された前記設置位置との間に配設される電線の想定配設位置である前記建物の基礎内と前記建物の外側の地中内の部分に、電線管を予め埋設しておき、
前記電線管の前記建物側の端部開口は、前記建物の床下空間内に位置している
ことを特徴とする放電システムの予備施工方法。
【請求項８】
前記電線管内には、前記電線を通す際に用いる呼び線を配設しておくことを特徴とする請求項７に記載の放電システムの予備施工方法。
【請求項９】
前記分電盤の近傍には、放電システム用開閉装置を設置可能なスペースを予め設けておくことを特徴とする請求項７又は８に記載の放電システムの予備施工方法。
【発明の詳細な説明】
【技術分野】
【０００１】
本発明は、充放電システム、充電システム又は放電システムを、将来的に簡易に施工可能な、充放電システムの予備施工方法、充電システムの予備施工方法及び放電システムの予備施工方法に関するものである。
【背景技術】
【０００２】
従来から、系統電源に接続されるとともに建物の家電負荷が接続される分電盤から供給される交流電力を、直流電力に変換して車載蓄電池へ供給したり、車載蓄電池から出力される直流電力を交流電力に変換して分電盤へ供給したりする車載電池用パワーコンディショナーを備えた充放電システムは知られている（例えば、特許文献１等を参照）。
【０００３】
また、系統電源に接続されるとともに建物の家電負荷が接続される分電盤から供給される交流電力を、直流電力に変換して車載蓄電池へ供給する車載電池用パワーコンディショナーを備えた充電システムも知られている（例えば、特許文献２等を参照）。
【０００４】
さらに、車載蓄電池から出力される直流電力を、交流電力に変換して、系統電源に接続されるとともに建物の家電負荷が接続される分電盤へ供給する車載電池用パワーコンディショナーを備えた放電システムは、従来の充放電システムにおいて、放電機能のみを備えるようにすればよい。
【先行技術文献】
【特許文献】
【０００５】
【特許文献１】特開２０１３−１０２６０８号公報
【特許文献２】特開２０１４−０３０３０６号公報
【発明の概要】
【発明が解決しようとする課題】
【０００６】
しかしながら、上記した充放電システムや充電システムや放電システムを、建物構築後、将来的に施工する場合、車載電池用パワーコンディショナーの適切な設置位置を設定してから、建物内の分電盤との間の電線が、玄関アプローチ等の邪魔にならないようにするとともに、その電線を建物内に導入するために、基礎や壁面等に孔をあける工事も行わなければならず、想像以上に煩雑なものであった。
【０００７】
そこで、本発明は、充放電システム、充電システム又は放電システムを、将来的に簡易に施工可能な、充放電システムの予備施工方法、充電システムの予備施工方法及び放電システムの予備施工方法を提供することを目的としている。
【課題を解決するための手段】
【０００８】
前記目的を達成するために、本発明の充放電システムの予備施工方法は、系統電源に接続されるとともに建物の家電負荷が接続される分電盤から供給される交流電力を、直流電力に変換して車載蓄電池へ供給したり、当該車載蓄電池から出力される直流電力を、交流電力に変換して前記分電盤へ供給したりする車載電池用パワーコンディショナーを備えた充放電システムを将来的に施工可能な充放電システムの予備施工方法であって、将来設置が想定される前記車載電池用パワーコンディショナーの設置位置を想定し、前記分電盤と前記車載電池用パワーコンディショナーの想定された前記設置位置との間に配設される電線の想定配設位置である前記建物の基礎内と前記建物の外側の地中内の部分に、電線管を予め埋設しておくことを特徴とする。
【０００９】
ここで、前記電線管内には、前記電線を通す際に用いる呼び線を配設しておくとよい。
【００１０】
また、前記分電盤の近傍には、充放電システム用開閉装置を設置可能なスペースを予め設けておくとよい。
【００１１】
本発明の充電システムの予備施工方法は、系統電源に接続されるとともに建物の家電負荷が接続される分電盤から供給される交流電力を、直流電力に変換して車載蓄電池へ供給する車載電池用パワーコンディショナーを備えた充電システムを将来的に施工可能な充電システムの予備施工方法であって、将来設置が想定される前記車載電池用パワーコンディショナーの設置位置を想定し、前記分電盤と前記車載電池用パワーコンディショナーの想定された前記設置位置との間に配設される電線の想定配設位置である前記建物の基礎内と前記建物の外側の地中内の部分に、電線管を予め埋設しておくことを特徴とする。
【００１２】
ここで、前記電線管内には、前記電線を通す際に用いる呼び線を配設しておくとよい。
【００１３】
また、前記分電盤の近傍には、充電システム用開閉装置を設置可能なスペースを予め設けておくとよい。
【００１４】
本発明の放電システムの予備施工方法は、車載蓄電池又は車載燃料電池から出力される直流電力を、交流電力に変換して、系統電源に接続されるとともに建物の家電負荷が接続される分電盤へ供給する車載電池用パワーコンディショナーを備えた放電システムを将来的に施工可能な放電システムの予備施工方法であって、将来設置が想定される前記車載電池用パワーコンディショナーの設置位置を想定し、前記分電盤と前記車載電池用パワーコンディショナーの想定された前記設置位置との間に配設される電線の想定配設位置である前記建物の基礎内と前記建物の外側の地中内の部分に、電線管を予め埋設しておくことを特徴とする。
【００１５】
ここで、前記電線管内には、前記電線を通す際に用いる呼び線を配設しておくとよい。
【００１６】
また、前記分電盤の近傍には、放電システム用開閉装置を設置可能なスペースを予め設けておくとよい。
【発明の効果】
【００１７】
このような本発明の充放電システムの予備施工方法は、系統電源に接続されるとともに建物の家電負荷が接続される分電盤から供給される交流電力を、直流電力に変換して車載蓄電池へ供給したり、車載蓄電池から出力される直流電力を、交流電力に変換して分電盤へ供給したりする車載電池用パワーコンディショナーを備えた充放電システムを将来的に施工可能な充放電システムの予備施工方法である。
【００１８】
そして、将来設置が想定される車載電池用パワーコンディショナーの設置位置を想定し、分電盤と車載電池用パワーコンディショナーの想定された設置位置との間に配設される電線の想定配設位置である建物の基礎内と建物の外側の地中内の部分に、電線管を予め埋設しておく構成とされている。
【００１９】
上記した構成なので、将来的に充放電システムの導入を決定した際には、将来設置が想定される車載電池用パワーコンディショナーの設置位置は既に想定してあるので、検討する時間をかける必要がなく、直ぐに車載電池用パワーコンディショナーを設置することができ、また、電線が玄関アプローチ等を邪魔しないように想定された想定配線位置である建物の基礎内と建物の外側の地中内の部分に、予め埋設しておいた電線管内に電線を通し、端部を分電盤と車載電池用パワーコンディショナーとに接続すれば施工が完了するため、極めて簡易に施工することができる。
【００２０】
さらには、将来的に充放電システムの導入を見送った際にも、基本的には、電線管を予め埋設しておく費用程度で済むため、将来的に充放電システムの導入をするか否かを、初期段階で気にする必要がない。
【００２１】
ここで、電線管内には、電線を通す際に用いる呼び線を配設しておく場合は、呼び線を用いて、電線管内に電線を簡易に通して配設することができる。
【００２２】
また、分電盤の近傍には、充放電システム用開閉装置を設置可能なスペースを予め設けておく場合は、将来的に充放電システムの導入を決定した際に、充放電システム用開閉装置を設置可能なスペースを新たに設けるための分電盤の配置換え等をいちいち行わないで済む。
【００２３】
このような本発明の充電システムの予備施工方法は、系統電源に接続されるとともに建物の家電負荷が接続される分電盤から供給される交流電力を、直流電力に変換して車載蓄電池へ供給する車載電池用パワーコンディショナーを備えた充電システムを将来的に施工可能な充電システムの予備施工方法である。
【００２４】
そして、将来設置が想定される車載電池用パワーコンディショナーの設置位置を想定し、分電盤と車載電池用パワーコンディショナーの想定された設置位置との間に配設される電線の想定配設位置である建物の基礎内と建物の外側の地中内の部分に、電線管を予め埋設しておく構成とされている。
【００２５】
上記した構成なので、将来的に充電システムの導入を決定した際には、将来設置が想定される車載電池用パワーコンディショナーの設置位置は既に想定してあるので、検討する時間をかける必要がなく、直ぐに車載電池用パワーコンディショナーを設置することができ、また、電線が玄関アプローチ等を邪魔しないように想定された想定配線位置である建物の基礎内と建物の外側の地中内の部分に、予め埋設しておいた電線管内に電線を通し、端部を分電盤と車載電池用パワーコンディショナーとに接続すれば施工が完了するため、極めて簡易に施工することができる。
【００２６】
さらには、将来的に充電システムの導入を見送った際にも、基本的には、電線管を予め埋設しておく費用程度で済むため、将来的に充電システムの導入をするか否かを、初期段階で気にする必要がない。
【００２７】
ここで、電線管内には、電線を通す際に用いる呼び線を配設しておく場合は、呼び線を用いて、電線管内に電線を簡易に通して配設することができる。
【００２８】
また、分電盤の近傍には、充電システム用開閉装置を設置可能なスペースを予め設けておく場合は、将来的に充電システムの導入を決定した際に、充電システム用開閉装置を設置可能なスペースを新たに設けるための分電盤の配置換え等をいちいち行わないで済む。
【００２９】
このような本発明の放電システムの予備施工方法は、車載蓄電池又は車載燃料電池から出力される直流電力を、交流電力に変換して、系統電源に接続されるとともに建物の家電負荷が接続される分電盤へ供給する車載電池用パワーコンディショナーを備えた放電システムを将来的に施工可能な放電システムの予備施工方法である。
【００３０】
そして、将来設置が想定される車載電池用パワーコンディショナーの設置位置を想定し、分電盤と車載電池用パワーコンディショナーの想定された設置位置との間に配設される電線の想定配設位置である建物の基礎内と建物の外側の地中内の部分に、電線管を予め埋設しておく構成とされている。
【００３１】
上記した構成なので、将来的に放電システムの導入を決定した際には、将来設置が想定される車載電池用パワーコンディショナーの設置位置は既に想定してあるので、検討する時間をかける必要がなく、直ぐに車載電池用パワーコンディショナーを設置することができ、また、電線が玄関アプローチ等を邪魔しないように想定された想定配線位置である建物の基礎内と建物の外側の地中内の部分に、予め埋設しておいた電線管内に電線を通し、端部を分電盤と車載電池用パワーコンディショナーとに接続すれば施工が完了するため、極めて簡易に施工することができる。
【００３２】
さらには、将来的に放電システムの導入を見送った際にも、基本的には、電線管を予め埋設しておく費用程度で済むため、将来的に放電システムの導入をするか否かを、初期段階で気にする必要がない。
【００３３】
ここで、電線管内には、電線を通す際に用いる呼び線を配設しておく場合は、呼び線を用いて、電線管内に電線を簡易に通して配設することができる。
【００３４】
また、分電盤の近傍には、放電システム用開閉装置を設置可能なスペースを予め設けておく場合は、将来的に放電システムの導入を決定した際に、放電システム用開閉装置を設置可能なスペースを新たに設けるための分電盤の配置換え等をいちいち行わないで済む。
【図面の簡単な説明】
【００３５】
【図１】実施例１の充放電システムの予備施工方法の概略構成を説明するための説明図である。
【図２】実施例１の充放電システムを備えた建物の完成図である。
【図３】実施例２の充電システムの予備施工方法の概略構成を説明するための説明図である。
【図４】実施例２の充電システムを備えた建物の完成図である。
【図５】実施例３の放電システムの予備施工方法の概略構成を説明するための説明図である。
【図６】実施例３の放電システムを備えた建物の完成図である。
【発明を実施するための形態】
【００３６】
以下、本発明を実施するための形態を、図面に示す実施例１〜３に基づいて説明する。
【実施例１】
【００３７】
先ず、実施例１の構成について説明する。
【００３８】
図１は、実施例１の充放電システムの予備施工方法を実施した建物Ｈの概略構成を示したものであって、実施例１の充放電システムの予備施工方法の概略構成を説明するための説明図として用いるものである。
【００３９】
この実施例１の充放電システムの予備施工方法では、まず、この建物Ｈを構築するにあたり、敷地内における建物Ｈの位置と、自動車Ｃ１が駐車する駐車スペースＵの位置を決める。
【００４０】
そして、玄関アプローチ等の邪魔にならないように、将来設置が想定される仮想線（二点鎖線）で示した車載電池用パワーコンディショナー１の設置位置を想定する。
【００４１】
その後、建物Ｈの基礎ＢＨを打設するに際し、この基礎ＢＨ上に構築される建物Ｈの本体内に設置されることとなる分電盤２との間に、この分電盤２と、車載電池用パワーコンディショナー１の想定された設置位置との間に配設される電線の想定配設位置である基礎ＢＨ内と建物Ｈの外側の地中内の部分に、電線管３を予め埋設しておく。
【００４２】
なお、分電盤２は、系統電源Ｅと電線２ａで接続されるとともに、建物Ｈの家電負荷が接続される通常の分電盤である。
【００４３】
ここで、電線管３の建物Ｈ側の端部開口は、建物Ｈの床下空間内に位置する。
【００４４】
また、電線管３の車載電池用パワーコンディショナー１側の端部開口は、車載電池用パワーコンディショナー１の想定された設置位置の近傍の地表部分に埋設された収納ボックス４に接続されている。
【００４５】
なお、収納ボックス４は、電線管３の車載電池用パワーコンディショナー１側の端部開口と内部が連通しているとともに、地表部側に開閉可能な蓋体が設けられている。
【００４６】
そして、電線管３内には、分電盤２と車載電池用パワーコンディショナー１との間の電線を通す際に用いる呼び線５を配設しておく。
【００４７】
その後、基礎ＢＨの上に建物Ｈの本体を構築する。
【００４８】
そして、建物Ｈの本体内に、分電盤２を、壁等に分電盤受パネル２０を介して設置する。
【００４９】
ここで、分電盤受パネル２０としては、仮想線（二点鎖線）で示した充放電システム用開閉装置６も設置可能な大きさのものを用いる。
【００５０】
また、分電盤受パネル２０と建物Ｈの床下空間との間に、電線管７を設置しておく。
【００５１】
なお、電線管３，７としては、ＣＤ管やＰＦ管等が適宜用いられる。
【００５２】
これにより、将来的に何時でも簡易に充放電システムを施工可能な状態となる。
【００５３】
次に、充放電システムを導入する際の施工手順について図２を参照しながら説明する。
【００５４】
図１で示した自動車Ｃ１は、ガソリン車又はディーゼル車である。
【００５５】
建物Ｈの居住者は、この自動車Ｃ１から、車載蓄電池を搭載する電気自動車又はプラグインハイブリッド車である自動車Ｃ２への乗り換えを決定した。
【００５６】
同時に、充放電システムを導入することも決定した。
【００５７】
依頼を受けた施工業者の作業員は、まず、車載電池用パワーコンディショナー１の想定された設置位置に、基礎Ｂ１を打設し、その上に車載電池用パワーコンディショナー１を設置する。
【００５８】
同時に、建物Ｈ内の分電盤受パネル２０の空きスペースに、充放電システム用開閉装置６も設置する。
【００５９】
次に、呼び線５の片方の端部に、充電用の電線８１と放電用の電線８２の端部を固定し、呼び線５の他方の端部を引っ張って、電線管３内に、電線８１，８２を通す。
【００６０】
そして、電線８１，８２の一方の端部を車載電池用パワーコンディショナー１へ接続する。
【００６１】
また、電線８１，８２の他方の端部は、床下空間及び電線管７を通して、充放電システム用開閉装置６へ接続し、この充放電システム用開閉装置６を介して分電盤２にも接続する。
【００６２】
これにより、図２に示したように、充放電システムは完成し、車載電池用パワーコンディショナー１に付属の充放電用のコード８３を自動車Ｃ２の充放電部に接続することで、自動車Ｃ２が搭載した車載蓄電池に充電することができるし、この車載蓄電池から放電し、建物Ｈの電源として用いることもできる。
【００６３】
次に、実施例１の作用効果について説明する。
【００６４】
このような実施例１の充放電システムの予備施工方法は、系統電源Ｅに接続されるとともに建物Ｈの家電負荷が接続される分電盤２から供給される交流電力を、直流電力に変換して車載蓄電池へ供給したり、車載蓄電池から出力される直流電力を、交流電力に変換して分電盤２へ供給したりする車載電池用パワーコンディショナー１を備えた充放電システムを将来的に施工可能な充放電システムの予備施工方法である。
【００６５】
そして、将来設置が想定される車載電池用パワーコンディショナー１の設置位置を想定し、分電盤２と車載電池用パワーコンディショナー１の想定された設置位置との間に配設される電線８１，８２の想定配設位置である建物Ｈの基礎ＢＨ内と建物Ｈの外側の地中内の部分に、電線管３を予め埋設しておく構成とされている。
【００６６】
上記した構成なので、将来的に充放電システムの導入を決定した際には、将来設置が想定される車載電池用パワーコンディショナー１の設置位置は既に想定してあるので、検討する時間をかける必要がなく、直ぐに車載電池用パワーコンディショナー１を設置することができ、また、電線８１，８２が玄関アプローチ等を邪魔しないように想定された想定配線位置である建物Ｈの基礎ＢＨ内と建物Ｈの外側の地中内の部分に、予め埋設しておいた電線管３内に電線８１，８２を通し、端部を分電盤２と車載電池用パワーコンディショナー１とに接続すれば施工が完了するため、極めて簡易に施工することができる。
【００６７】
さらには、将来的に充放電システムの導入を見送った際にも、基本的には、電線管３を予め埋設しておく費用程度で済むため、将来的に充放電システムの導入をするか否かを、初期段階で気にする必要がない。
【００６８】
ここで、電線管３内には、電線８１，８２を通す際に用いる呼び線５を配設しておく。
【００６９】
このため、呼び線５を用いて、電線管３内に電線８１，８２を簡易に通して配設することができる。
【００７０】
また、分電盤２の近傍には、充放電システム用開閉装置６を設置可能なスペースを予め設けておく。
【００７１】
このため、将来的に充放電システムの導入を決定した際に、充放電システム用開閉装置６を設置可能なスペースを新たに設けるための分電盤２の配置換え等をいちいち行わないで済む。
【実施例２】
【００７２】
次に、実施例２について説明する。
【００７３】
なお、実施例１で説明した内容と同一乃至均等な部分の説明については同一符号を付して説明する。
【００７４】
図３は、実施例２の充電システムの予備施工方法を実施した建物Ｈの概略構成を示したものであって、実施例２の充電システムの予備施工方法の概略構成を説明するための説明図として用いるものである。
【００７５】
この実施例２の充電システムの予備施工方法を実施した建物Ｈは、電線管３，７の太さを考慮すれば、図１に示した実施例１の充電システムの予備施工方法を実施した建物Ｈと略同一であり、同様な施工手順で実施することができる。
【００７６】
すなわち、図４に示したように、充電システムを備えた状態としたとき、充放電用の車載電池用パワーコンディショナー１の代わりに、充電用の車載電池用パワーコンディショナー１Ａを設置し、充放電システム用開閉装置６の代わりに、充電システム用開閉装置６Ａを設置し、放電用の電線８２を設けないことが実施例１と主に異なる。
【００７７】
なお、他の構成及び作用効果については、実施例１と略同様であるので説明を省略する。
【実施例３】
【００７８】
次に、実施例３について説明する。
【００７９】
なお、実施例１で説明した内容と同一乃至均等な部分の説明については同一符号を付して説明する。
【００８０】
図５は、実施例３の放電システムの予備施工方法を実施した建物Ｈの概略構成を示したものであって、実施例３の放電システムの予備施工方法の概略構成を説明するための説明図として用いるものである。
【００８１】
この実施例３の放電システムの予備施工方法を実施した建物Ｈは、電線管３，７の太さを考慮すれば、図１に示した実施例１の充電システムの予備施工方法を実施した建物Ｈと略同一であり、同様な施工手順で実施することができる。
【００８２】
すなわち、図６に示したように、放電システムを備えた状態としたとき、充放電用の車載電池用パワーコンディショナー１の代わりに、放電用の車載電池用パワーコンディショナー１Ｂを設置し、充放電システム用開閉装置６の代わりに、放電システム用開閉装置６Ｂを設置し、充電用の電線８１を設けないこと、及び自動車Ｃ２として、車載燃料電池が搭載された燃料電池車も適用可能なことが実施例１と主に異なる。
【００８３】
なお、他の構成及び作用効果については、実施例１と略同様であるので説明を省略する。
【００８４】
以上、図面を参照して、本発明を実施するための形態を実施例１〜３に基づいて詳述してきたが、具体的な構成は、これら実施例１〜３に限らず、本発明の要旨を逸脱しない程度の設計的変更は、本発明に含まれる。
【００８５】
例えば、上記した実施例１〜３では、説明を簡単にするために、建物Ｈを単純な構造として実施したが、勿論、実際にはより複雑な構造で実施してもよい。
【００８６】
また、上記した実施例１〜３では、新築する時の建物Ｈに適用して実施したが、これに限定されず、リフォーム時等に必要に応じて既設建物に適用して実施してもよい。
【００８７】
さらに、上記した実施例１〜３では、充放電システムの予備施工方法、充電システムの予備施工方法及び放電システムの予備施工方法を、それぞれ別個に説明したが、特に電線管３の太ささえ考慮すれば、出来上がる構成は略同一なので、例えば、充電システムや放電システムを導入しようとしていたプランを、充放電システムを導入するプランに変更することもできる。
【００８８】
また、上記した実施例１〜３では、電線管３を単に基礎ＢＨ内に埋設するとしたが、これは、基礎ＢＨに基礎スリーブを設けて、その中に、電線管３を通すことも含まれる。
【００８９】
さらに、上記した実施例１〜３では、車載電池用パワーコンディショナー１，１Ａ，１Ｂを、基礎Ｂ１の上に設置して実施したが、これに限定されず、例えば、近くに塀等がある場合は、車載電池用パワーコンディショナー１，１Ａ，１Ｂを、その塀の側面に設置するなどして実施してもよい。
【符号の説明】
【００９０】
Ｈ      建物
ＢＨ    （建物の）基礎
Ｂ１    （車載電池用パワーコンディショナーの）基礎
Ｃ１    自動車
Ｃ２    自動車
Ｕ      駐車スペース
Ｅ      系統電源
１      （充放電用の）車載電池用パワーコンディショナー
１Ａ    （充電用の）車載電池用パワーコンディショナー
１Ｂ    （放電用の）車載電池用パワーコンディショナー
２      分電盤
２０    分電盤受パネル
２ａ    電線
３      電線管
４      収納ボックス
５      呼び線
６      充放電システム用開閉装置
６Ａ    充電システム用開閉装置
６Ｂ    放電システム用開閉装置
７      電線管
８１    （充電用の）電線
８２    （放電用の）電線
８３    （車載電池用パワーコンディショナーに付属の）コード
【図１】
0006454159.tif 000002
【図２】
0006454159.tif 000003
【図３】
0006454159.tif 000004
【図４】
0006454159.tif 000005
【図５】
0006454159.tif 000006
【図６】
0006454159.tif 000007